(57)【特許請求の範囲】
【請求項１】
間仕切パネルの左右両側部における上下方向に延びる縦枠体を、断面中空角状の芯材と、該芯材の少なくとも左右両側に被嵌した中空略矩形状の外側枠材とにより構成し、
該縦枠体における外側枠材の端面を挟む表裏両角部には、棚用ブラケット等を係止するための縦長係合孔を穿設し、前記端面のうち前記表裏角部を含む左右両側の端面の一方に対して他方を段違い状に形成して、相隣合った一方の間仕切パネルの縦枠体における外側枠材の一方の端面と、他方の間仕切パネルの縦枠体における外側枠材の他方の端面とが相接合するように構成する一方、
前記相隣り合った間仕切パネルの厚さ方向の端面のうち前記芯材に当接する中央部に前記縦長係合孔の間仕切パネルの間口方向寸法より大きく凹む縦溝状の凹部を設け、この縦溝状の凹部には、前記相隣り合った間仕切パネル同士を連結するための抱持ブロック体が前記芯材の表面のうち間仕切パネルの厚さ方向と平行な表面に向けて直角に挿入可能な挿入孔を穿設し、
前記挿入孔に前記抱持ブロック体を挿入した状態で、前記両芯材の内側から貫通させたボルトにて前記抱持ブロック体を締着するように構成したことを特徴とする間仕切パネルの接合構造。
【請求項２】
前記抱持ブロック体は、前記両芯材を間仕切パネルの厚さ方向にずれ不能に抱持する平面視略Ｈ型に形成したことを特徴とする請求項１に記載の間仕切パネルの接合構造。
【発明の詳細な説明】
【０００１】
【発明の属する技術分野】
本発明は、正面視矩形に形成したフレームの表裏両側にパネルを着脱自在に装着したタイプの間仕切パネルを、平面視一直線状等に連結する場合のように、矩形のフレームにおける縦枠体同士を互いに接合する構造に関するものである。
【０００２】
【従来の技術】
間仕切パネルの接合部の構成として、例えば実用新案登録公報第２５０９８７１号（発行日：平成８年（１９９６年）９月４日）では、左右縦枠材と上下横枠材とで矩形のフレームを形成し、このフレームにおける左右縦枠材の端面には、その間仕切パネルの厚さ方向の中心線を挟んで、一方に上下全長にわたって延びる外向きの凸条部（突条）を、他方に上下全長にわたって延びる凹条部（溝条）を形成し、相隣合った一方の間仕切パネルの縦枠体における一方の凸条部と、他方の間仕切パネルの縦枠体における他方の凹条部とが互いに嵌合して相接合するように構成する一方、前記縦部材における間仕切パネルの壁面と平行な表裏両側面には、棚用ブラケットの基部の係合爪を係止するための縦長係合孔を、縦部材の上下方向に一定間隔にて穿設したものが開示されている。
【０００３】
このものでは、相隣接する２つの間仕切パネルを平面視で一直線状に配置するとき、間仕切パネルの厚さ方向にずれないが、縦部材における前記表裏両側面に穿設された縦長係合孔を介して光や音が間仕切パネルの表裏（厚さ）方向に透過（漏れ）してしまうという問題があった。
【０００４】
また、特開平７−３２４４０８号公報では、間仕切パネルの左右両側端面に上下方向に延びる突条と溝条とを、表裏方向（間仕切パネルの厚さ方向）に対称状に形成して、相隣接した間仕切パネルの突条と溝条とが互いに嵌合するように形成し、突条を構成する表両側板のうち、隣接する間仕切パネルの隙間に露出した側板に棚用ブラケットに対する縦長係合孔を間仕切パネルの上下方向に一定間隔にて穿設することが開示されている。
【０００５】
【発明が解決しようとする課題】
しかしながら、この構成では、表面又は裏面の一方の縦長係合孔は突条の他の側板部分で裏面又は表面との貫通箇所がないから、光や音の漏れがないという効果はあるものの、一方の側板の同じ高さ位置には、一つの縦長係合孔しか装着できないという問題があった。
【０００６】
また、隣接する２つの間仕切パネルにおける縦部材の端面間に、連結用のブロックを介在させることができないという問題もあった。
【０００７】
本発明は、これらの問題を解消した間仕切パネルの接合構造を提供することを目的とするものである。
【０００８】
【課題を解決するための手段】
前記目的を達成するため、請求項１に記載の本発明の間仕切パネルの接合構造は、間仕切パネルの左右両側部における上下方向に延びる縦枠体を、断面中空角状の芯材と、該芯材の少なくとも左右両側に被嵌した中空略矩形状の外側枠材とにより構成し、該縦枠体における外側枠材の端面を挟む表裏両角部には、棚用ブラケット等を係止するための縦長係合孔を穿設し、前記端面のうち前記表裏角部を含む左右両側の端面の一方に対して他方を段違い状に形成して、相隣合った一方の間仕切パネルの縦枠体における外側枠材の一方の端面と、他方の間仕切パネルの縦枠体における外側枠材の他方の端面とが相接合するように構成する一方、前記相隣り合った間仕切パネルの厚さ方向の端面のうち前記芯材に当接する中央部に前記縦長係合孔の間仕切パネルの間口方向寸法より大きく凹む縦溝状の凹部を設け、この縦溝状の凹部には、前記相隣り合った間仕切パネル同士を連結するための抱持ブロック体が前記芯材の表面のうち間仕切パネルの厚さ方向と平行な表面に向けて直角に挿入可能な挿入孔を穿設し、前記挿入孔に前記抱持ブロック体を挿入した状態で、前記両芯材の内側から貫通させたボルトにて前記抱持ブロック体を締着するように構成したものである。
【０００９】
また、請求項２に記載の発明は、請求項１に記載の間仕切パネルの接合構造において、前記抱持ブロック体は、前記両芯材を間仕切パネルの厚さ方向にずれ不能に抱持する平面視略Ｈ型に形成したものである。
【００１０】
【発明の奏する効果】
本願発明のように構成すると、前記相隣り合った間仕切パネルの厚さ方向の端面のうち前記芯材に当接する中央部に形成される縦溝状の凹部は、縦枠体の左右両側端における端面を含む角部に穿設された縦長係合孔の間仕切パネルの間口方向寸法より大きいものであり、しかもこの凹部に沿って間仕切パネルの厚さ方向の中央部に中空角状の芯材が配置されているので、前記縦長係合孔が透いていても、光や音の直線的通過を前記凹部及び芯材によって簡単に遮ることができると共に、前記端面のうち前記表裏角部を含む左右両側の端面のうち一方に対して他方を段違い状に形成して、相隣合った一方の間仕切パネルの縦枠体における一方の端面と、他方の間仕切パネルの縦枠体における他方の端面とが相接合するように構成したから、この接合部分でも、間仕切パネルの表裏に光や音が直線的に通過することを確実に防止できるという効果を奏する。
【００１１】
そして、本願発明によれば、前記縦溝状の凹部には、前記相隣り合った間仕切パネル同士を連結するための抱持ブロック体が前記芯材の表面に向けて直角に挿入可能な挿入孔を穿設し、前記挿入孔に前記抱持ブロック体を挿入した状態で、前記両芯材の内側から貫通させたボルトにて前記抱持ブロック体を締着するように構成したものであるから、前記凹部と芯材とを利用して抱持ブロック体を挿入孔に挿入し、ボルト締結することで隣接する間仕切パネルを簡単に連結でき、接合する間仕切パネル同士がその厚さ方向にずれなくすることもできるという効果を奏する。
【００１２】
【発明の実施の形態】
次に、本発明を間仕切に適用した実施形態を図面に基づいて説明する。
【００１３】
図１〜図５は第１実施形態を示し、図１は間仕切パネル１の部品分解斜視図、図２は連結装置の部品の斜視図、図３はフレームの連結装置の断面図、図４は一部切欠き側面図である。
【００１４】
間仕切パネル１は、鋼板の型材等からなる側面視矩形枠状のフレーム２の左右両側（表裏両面）にパネル３、３を着脱自在に装着でき、フレーム２の上端には図示しない笠木（天カバー）を備え、パネル３の下端と床面との間は巾木４にて塞いでいる。フレーム２は、一対の縦枠体５，５とその上下両端に固着した上下一対の横枠体６，６とで矩形に形成されている。なお、上下横枠体６，６の間に補強用の横桟を設けても良いし、逆に、一対の縦枠体５，５の間に補強用の縦桟を設けても良い。
【００１５】
実施形態においては、隣合ったフレーム２の縦枠体５，５同士を互いに密接させた状態で平面視一直線状に連結するものであり、そのため、縦枠体５は、断面中空角状の芯材７と、該芯材７の左右両側とフレーム２の外側における間仕切パネル１の厚さ方向の側面とに被嵌してスポット溶接等にて固着した中空略矩形状の外側枠材８とにより構成されている。
【００１６】
フレーム２の外側において、当該間仕切パネル１（ひいてはフレーム２）の端面（厚さ方向の面）の略中央部には、前記外側枠材８に上下に連通する縦溝状の凹部９が凹み形成されている。そして、この縦溝状の凹部９は、一対の側部９ａ，９ａと底部９ｂとからなるように形成されている。この凹部９を挟んで、間仕切パネル１の厚さ方向の表裏両側の端面８ａ，８ｂは、その一方の端面８ａ（角部を含む）が他方の端面８ｂ（角部を含む）に対してほぼ板厚さ等の小さい寸法Ｔ１だけ段違い状に形成する。図示の実施形態では、端面８ｂが端面８ａより外側に突出している。
【００１７】
この構成により、図５に示すように、隣接する２つの間仕切パネルを平面視にて一直線状に接続するとき、一方の間仕切パネル１の縦枠体５における一方の端面８ａと、他方の間仕切パネル１の縦枠体５における他方の端面８ｂとを対面させると、段差の寸法Ｔ１を利用して前記端面８ａと８ｂとが密接するように接合できるのである。
【００１８】
なお、前記一方の端面８ａを含む角部及び他方の端面８ｂを含む角部には、それぞれ縦枠体５の上下長手方向に沿って一定間隔にてほぼ矩形状の縦長係合孔２０を穿設する。この各縦長係合孔２０には、棚板を支持するための棚用ブラケット２１の基部に設けた図示しない係合爪を係止させるものである。
【００１９】
この各縦長係合孔２０の間仕切パネル１の間口方向の寸法Ｔ２よりも、前記突出側の端面８ｂの表面から凹部９における底部９ｂの箇所までの寸法Ｔ３を大きくなるように設定する（図５参照）。これにより、間仕切パネル１の左右両側端部において、隣接する縦枠体５，５の接合箇所及びその近傍で、前記端面８ａ，８ｂを含む表裏のいずれの角部の縦長係合孔２０が透いていても、当該縦枠体５のうちの間仕切パネルの厚さ方向の略中央部に設けた縦溝状の凹部９の側部９ａ，９ａにて光や音の直線的通過を簡単に遮ることができるという効果を奏する。
【００２０】
また、フレーム２を平面視直線状に密接させるべき箇所の外側枠材８には、上下複数の箇所に、抱持ブロック体１０が芯材７に向けて挿入可能な略矩形状の挿入孔１１を形成する。この実施形態における挿入孔１１は、前記凹部９における底部９ｂにのみ矩形状に穿設されている（図２参照）。
【００２１】
図２〜図４に示すように、この実施形態では、抱持ブロック体１０は、連結する箇所の両芯材７，７の間に配置させる基部１０ａと、該基部１０ａの左右両端からそれぞれ突出する４つの抱持突起部１０ｂとからなる平面視略Ｈ型に形成されており、この基部１０ａと一対の抱持突起部１０ｂ，１０ｂとで両芯材７をフレーム２の厚さ方向にずれ不能に抱持することができるように構成されている。抱持ブロック体１０における左右一対の抱持突起部１０ｂ，１０ｂの内側間の寸法Ｗ１は、前記芯材７におけるフレーム２の厚さ方向の外側面間の寸法Ｗ１′にほぼ等しくなるように設定され、同じく左右一対の抱持突起部１０ｂ，１０ｂの外側間の寸法Ｗ２は、前記挿入孔１１の左右巾寸法Ｗ２′より小さい寸法であって、挿入孔１１に出し入れするとき、抱持ブロック体１０の左右外面が挿入孔１１の左右側縁につかえないような隙間が形成できる程度である。また、抱持ブロック体１０の縦方向寸法Ｈ１は、前記挿入孔１１の縦方向寸法Ｈ１′とほぼ同じできっちりと入る程度である。
【００２２】
さらに、抱持ブロック体１０の基部１０ａには、前記抱持突起部１０ｂが突出する方向と平行状に、位置規制ボス部１２，１２が一体的に突設され、この各位置規制ボス部１２が芯材７に穿設された位置決め孔１３にきっちりと嵌合するように形成されている。そして、前記基部１０ａには、前記両位置規制ボス部１２，１２を貫通するように雌ねじ部１４が穿設されている。
【００２３】
連結する箇所にて抱持ブロック体１０と対峙させて芯材７を挟む補強座体としての平面視コ字型の座金体１５と、前記芯材７とには、頭部に六角孔付きのボルト１８の軸部を挿通させるための挿通孔１６，１７がそれぞれ穿設されている。なお、縦枠体５の内側には、前記芯材７の側面と外側枠材８との連設部に前記座金体１５の左右両側片１５ｂ，１５ｂが嵌まる係止孔１９，１９が穿設されている。
【００２４】
なお、図１に示すように、横枠体６の厚さ方向寸法より、外側枠材８の厚さ方向寸法が大きいことにより、フレーム２の両面に装着したパネル３，３の内面と横枠体６との間に上下方向に配線用コードの挿通のための隙間が形成でき、また、外側枠材８の上下方向中途部を適当な寸法だけ切欠いた切欠き部２３を介して隣接するフレーム２に配線用コードを引き出すことができる。
【００２５】
次に、間仕切パネル１，１を直線状に連結する作業について説明すると、図１に示すように、隣接する２つのフレーム２，２のうち連結すべき箇所の縦枠体５，５の挿入孔１１，１１に前記抱持ブロック体１０を挿入して、両芯材７，７の側面を抱持ブロック体１０における左右一対の抱持突起部１０ｂ，１０ｂにてフレーム２の厚さ方向にずれないように抱持させる。次いで、フレーム２の内径側より、それぞれ芯材７，７を抱えるように座金体１５，１５を嵌め入れ、この各座金体１５側からボルト１８の軸部を芯材７を貫通させて抱持ブロック体１０の雌ねじ部１４に締着するのである。これにより、各ボルト１８は抱持ブロック体１０と芯材７と座金体１５との三者を締着するのであり、しかも、１つの抱持ブロック体１０とその両側の２つの芯材７，７とを両側のボルト１８，１８にて締着するので、連結強度も強固になる。そして、抱持ブロック体１０における左右一対の抱持突起部１０ｂ，１０ｂにて芯材７をフレーム２の厚さ方向にずれ動くのを阻止できるから、隣接する間仕切パネル１，１を一直線状に配置することが簡単になる。さらに、抱持ブロック体１０の基部１０ａから突出する位置規制ボス部１２が芯材７の位置決め孔１３に嵌合することにより、両芯材７，７の一層位置ずれをなくすることができる。
【００２６】
なお、前記座金体１５を省略して、ボルト１８の頭部を芯材７の内面に直接当接するように芯材７に貫通挿入して抱持ブロック体１０と締着させても良い。
【００２７】
図６は、２つの間仕切パネル１を連結用支柱３０を介して平面視でＬ字状に連結する場合や、３つの間仕切パネル１を連結用支柱３０を介して平面視Ｔ字状に連結したり、４つの間仕切パネル１を連結用支柱３０を介して平面視十字状に連結したりする参考例であり、中空断面の連結用支柱３０の四周外側面には、前記間仕切パネル１における縦枠体５の一方の端面８ａと他方の端面８ｂとの段差Ｔ１に対応するような段差部３１を形成することにより、各端面８ａ，８ｂと連結用支柱３０の外側面との間で光や音漏れを無くしながら、間仕切パネル１の縦枠体５の表裏の角部の縦長係合孔２０に対して棚用ブラケット２１を装着することができるのである。なお、この参考例では、縦枠体５は外側枠材８のみであって、芯材７を備えない。
【００２８】
上述のように、縦枠体５の外側枠材８に穿設された挿入孔１１を介して抱持ブロック体１０を芯材７に抱持させるので、挿入孔１１に抱持ブロック体１０を挿入しているかぎり、抱持ブロック体１０が脱落せず、また、抱持ブロック体１０にて連結すべき芯材７がフレーム２ひいては間仕切パネル１の厚さ方向にずれず、ボルト１８，１８締着にて２つの芯材７，７と１つの抱持ブロック体１０との三者を強固に連結できる。
【００２９】
また、前記両芯材７，７を厚さ方向に抱持する補強用の座金体１５を介してボルト１８締結すると、座金体１５にて締着時のボルト１８の頭部の面圧を受け止めて、板厚さの薄い芯材７の塑性変形を簡単に防止することができる。
【図面の簡単な説明】
【図１】間仕切パネルの部品斜視図である。
【図２】連結装置の部品の斜視図である。
【図３】連結装置の平断面図である。
【図４】図３のIV−IV線矢視断面図である。
【図５】隣接する２つの間仕切パネルの接合部を示す平断面図である。
【図６】３つの間仕切パネルを平面視Ｔ字状に連結する連結支柱の断面図である。
【符号の説明】
１  間仕切パネル
２  フレーム
３  パネル
５  縦枠体
６  横枠体
７  芯材
８  外側枠材
８ａ，８ｂ    端面
９  凹部
１０  抱持ブロック体
１０ａ    基部
１０ｂ，１０ｂ    抱持突起部
１１    挿入孔
１２    位置決めボス部
１３    位置決め孔
１４    雌ねじ部
１５    座金体
１６，１７    挿通孔
１８    ボルト
１９    係止孔
２０    縦長係合孔
２１    棚用ブラケット
【図１】
0003555069.tif 000002
【図２】
0003555069.tif 000003
【図３】
0003555069.tif 000004
【図４】
0003555069.tif 000005
【図５】
0003555069.tif 000006
【図６】
0003555069.tif 000007